(57)【要約】【課題】  住宅の屋内で布団などの大型のものや洋服などを乾燥、脱臭できる乾燥方法および装置を提供する。【解決手段】  乾燥庫と、乾燥庫内の空気を加熱する加熱手段と、庫内の空気を循環させるように設けられた主管路と、該主管路に設けられた加熱ブロアと、一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、庫内の空気を庫外へ排出するように設けられた排出ブロアとを含む。【選択図】        図１
2006043221.tif 000002
【特許請求の範囲】
【請求項１】
乾燥庫と、乾燥庫内の空気を加熱する加熱手段と、庫内の空気を循環させるように設けられた主管路と、該主管路に設けられた加熱ブロアと、
一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、
庫内の空気を庫外へ排出するように設けられた排出ブロアとを含む布団，洗濯物等の乾燥装置を使用し、
前記加熱手段および加熱ブロアを運転して庫内の空気を加熱するとともに、前記乾燥庫と主管路との間で循環させ、
その後、前記排気ブロアを運転して庫内の加湿空気を庫外に排出し、
次に、前記脱臭装置と脱臭ブロアを所定時間運転して、前記乾燥庫と副管路の間で空気を循環させて脱臭し、
再び前記排気ブロアを運転して庫内の加湿空気を庫外に排出することを特徴とする布団，洗濯物等の乾燥方法。
【請求項２】
乾燥庫と、乾燥庫内の空気を加熱する加熱手段と、庫内の空気を循環させるように設けられた主管路と、該主管路に設けられた加熱ブロアと、
一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、
庫内の空気を庫外へ排出するように設けられた排出ブロアとを含む布団，洗濯物等の乾燥装置を使用し、
前記加熱手段および加熱ブロアを運転して庫内の空気を加熱するとともに、前記乾燥庫と主管路との間で循環させ、
前記加熱ブロアの運転と同時に、前記脱臭装置と脱臭ブロアを所定時間運転して、前記乾燥庫と副管路の間で空気を循環させて脱臭し、
その後、前記排気ブロアを運転して庫内の加湿空気を庫外に排出することを特徴とする布団，洗濯物等の乾燥方法。
【請求項３】
乾燥庫と、
乾燥庫内の空気を加熱する加熱手段と、庫内の空気を循環させるように設けられた主管路と、該主管路に設けられた加熱ブロアと、
一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、
庫内の空気を庫外へ排出するように設けられた排出ブロアとを含むことを特徴とする布団，洗濯物等の乾燥装置。
【請求項４】
前記乾燥庫内の上部に設けられた庫内循環ファンとを含む請求項３記載の布団，洗濯物等の乾燥装置。
【請求項５】
前記乾燥庫内の空気を冷却する冷却手段と、庫内の空気を循環させるように設けられた第２副管路と、該第２副管路に設けられた冷却ブロアとを含む請求項３または請求項４記載の布団，洗濯物等の乾燥装置。
【請求項６】
前記副管路の脱臭ブロアに続く冷却手段の空気出口側に接続されたマイナスイオン発生器とを含む請求項３または請求項４または請求項５記載の布団，洗濯物等の乾燥装置。
【請求項７】
乾燥庫と、乾燥庫内の空気を加熱する加熱手段と、庫内の空気を循環させるように設けられた主管路と、該主管路に設けられた加熱ブロアと、
庫内の空気を庫外へ排出するように設けられた排出ブロアとを含み、
前記乾燥庫は、正面に開口を持つ本体と、該本体内に設けられた横方向に平行な被乾燥物の掛け棒と、前記正面の開口に設けられた扉とからなり、本体の天板直下に天井板を介して天井区画または底板直上に床板を介した床区画、側板の内側に仕切り板を介して側区画が設けられ、
前記仕切り板の上部または下部にはフィルターを介した空気吸入口、これに対応した下部又は上部に空気吐出口が設けられ、前記側区画内でこれらに前記主管路が接続され、
前記乾燥庫内の天井板の下面のほぼ中央には、下向き気流を生じさせるよう、庫内循環ファンが設けられたことを特徴とする布団，洗濯物等の乾燥装置。
【請求項８】
乾燥庫と、乾燥庫内の空気を加熱する加熱手段と、庫内の空気を循環させるように設けられた主管路と、該主管路に設けられた加熱ブロアと、
一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、
庫内の空気を庫外へ排出するように設けられた排出ブロアとを含み、
前記乾燥庫は、正面に開口を持つ本体と、該本体内に設けられた横方向に平行な被乾燥物の掛け棒と、前記正面の開口に設けられた扉とからなり、本体の天板直下に天井板を介して天井区画または底板直上に床板を介した床区画、側板の内側に仕切り板を介して側区画が設けられ、
前記仕切り板の上部または下部にはフィルターを介した第１空気吸入口、これに対応した下部または上部には第１空気吐出口が設けられ、前記側区画内でこれらに前記主管路が接続され、
前記仕切り板の上部または下部にはフィルターを介した第２空気吸入口、これに対応した下部または上部には第２空気吐出口が設けられ、これらに副管路が接続され、
乾燥庫内の天井板の下面のほぼ中央には、下向き気流を生じさせるよう、庫内循環ファンが設けられたことを特徴とする布団，洗濯物等の乾燥装置。
【発明の詳細な説明】
【技術分野】
【０００１】
本発明は、布団，洗濯物等の乾燥方法および装置に関するものである。
【背景技術】
【０００２】
従来の家庭用・住宅用の洗濯用乾燥機として、ドラム式のものがあった。この乾燥機では、洗濯後に脱水された衣料品は、回転ドラムの中で旋回しつつ、温風のもとで乾燥される。そのため、衣料品などは原形を止めることなく、しわくちゃの状態で乾燥される。
【発明の開示】
【発明が解決しようとする課題】
【０００３】
しかしながら、このタイプの乾燥機では、寝具，布団などの大型のものや洋服などの形のあるものの乾燥はほとんど不可能であり、乾燥できるものが限定される。
このため、屋外で天日で乾かすことになる。しかし、布団を干したくても景観等により干せない。特に高層集合住宅（マンション）などでは、布団，洗濯物の落下による事故の危険性のため、厳しく制限される。そして、天日干しができても、排気ガス，花粉の付着が心配なこともある。
また、雨続きで洗濯物が干せない等で、屋内で自然乾燥を待つ場合、どうしても乾燥が不充分となり、生乾きのため洗濯物等が臭くなる。また尿布団，高齢者の寝具が臭うこととなる。
【０００４】
本発明は、上記課題を解決し、住宅の屋内で布団などの大型のものや洋服などを乾燥、脱臭できる乾燥方法および装置を提供することを目的とする。
【課題を解決するための手段】
【０００５】
上記課題を解決を解決するため、本発明の第１の課題解決手段は方法であり、乾燥庫と、乾燥庫内の空気を加熱する加熱手段と、庫内の空気を循環させるように設けられた主管路と、該主管路に設けられた加熱ブロアと、一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、庫内の空気を庫外へ排出するように設けられた排出ブロアとを含む布団，洗濯物等の乾燥装置を使用し、
前記加熱手段および加熱ブロアを運転して庫内の空気を加熱するとともに、前記乾燥庫と主管路との間で循環させ、その後、前記排気ブロアを運転して庫内の加湿空気を庫外に排出し、次に、前記脱臭装置と脱臭ブロアを所定時間運転して、前記乾燥庫と副管路の間で空気を循環させて脱臭し、再び前記排気ブロアを運転して庫内の加湿空気を庫外に排出することである。
【０００６】
第２の課題解決手段は方法であり、乾燥庫と、乾燥庫内の空気を加熱する加熱手段と、庫内の空気を循環させるように設けられた主管路と、該主管路に設けられた加熱ブロアと、一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、庫内の空気を庫外へ排出するように設けられた排出ブロアとを含む布団，洗濯物等の乾燥装置を使用し、前記加熱手段および加熱ブロアを運転して庫内の空気を加熱するとともに、前記乾燥庫と主管路との間で循環させ、前記加熱ブロアの運転と同時に、前記脱臭装置と脱臭ブロアを所定時間運転して、前記乾燥庫と副管路の間で空気を循環させて脱臭し、その後、前記排気ブロアを運転して庫内の加湿空気を庫外に排出することである。
【０００７】
第３の課題解決手段は装置であり、乾燥庫と、乾燥庫内の空気を加熱する加熱手段と、庫内の空気を循環させるように設けられた主管路と、該主管路に設けられた加熱ブロアと、一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、庫内の空気を庫外へ排出するように設けられた排出ブロアとを含むことである。
【０００８】
第４の課題解決手段は第３の手段に加え、前記乾燥庫内の上部に設けられた庫内循環ファンとを含むことである。
【０００９】
第５の課題解決手段は装置であり、第３または第４手段に加え、前記乾燥庫内の空気を冷却する冷却手段と、庫内の空気を循環させるように設けられた第２副管路と、該第２副管路に設けられた冷却ブロアとを含むことである。
【００１０】
第６の課題解決手段は装置であり、第３または第４または第５手段に加え、前記副管路の脱臭ブロアに続く冷却手段の空気出口側に接続されたマイナスイオン発生器とを含むことである。
【００１１】
第７の課題解決手段は装置であり、乾燥庫と、乾燥庫内の空気を加熱する加熱手段と、庫内の空気を循環させるように設けられた主管路と、該主管路に設けられた加熱ブロアと、庫内の空気を庫外へ排出するように設けられた排出ブロアとを含み、前記乾燥庫は、正面に開口を持つ本体と、該本体内に設けられた横方向に平行な被乾燥物の掛け棒と、前記正面の開口に設けられた扉とからなり、本体の天板直下に天井板を介して天井区画または底板直上に床板を介した床区画、側板の内側に仕切り板を介して側区画が設けられ、前記仕切り板の上部または下部にはフィルターを介した空気吸入口、これに対応した下部又は上部に空気吐出口が設けられ、前記側区画内でこれらに前記主管路が接続され、前記乾燥庫内の天井板の下面のほぼ中央には、下向き気流を生じさせるよう、庫内循環ファンが設けられたことである。
【００１２】
第８の課題解決手段は装置であり、乾燥庫と、乾燥庫内の空気を加熱する加熱手段と、庫内の空気を循環させるように設けられた主管路と、該主管路に設けられた加熱ブロアと、一端が空気入口，他端が空気出口となる副管路と、該副管路の途中で前記入口側に接続された脱臭ブロアと、該脱臭ブロアから前記出口側に順に接続された予熱手段、酸化分解手段および冷却手段と、庫内の空気を庫外へ排出するように設けられた排出ブロアとを含み、前記乾燥庫は、正面に開口を持つ本体と、該本体内に設けられた横方向に平行な被乾燥物の掛け棒と、前記正面の開口に設けられた扉とからなり、本体の天板直下に天井板を介して天井区画または底板直上に床板を介した床区画、側板の内側に仕切り板を介して側区画が設けられ、前記仕切り板の上部または下部にはフィルターを介した第１空気吸入口、これに対応した下部または上部には第１空気吐出口が設けられ、前記側区画内でこれらに前記主管路が接続され、前記仕切り板の上部または下部にはフィルターを介した第２空気吸入口、これに対応した下部または上部には第２空気吐出口が設けられ、これらに副管路が接続され、乾燥庫内の天井板の下面のほぼ中央には、下向き気流を生じさせるよう、庫内循環ファンが設けられたことである。
【発明の効果】
【００１３】
本発明は、住宅の屋内で布団，洋服などでも乾燥できることとなった。また、布団，洗濯物等を乾燥するのに、触媒を使用するので、消臭剤を使用しなくても脱臭できることとなった。そして、副管路の加熱手段で空気を適度な温度まで加熱して、加熱ブロアで循環させるので、空気の殺菌効果がある。乾燥庫内の空気を循環させるので、保温するためのエネルギーが少なくてすむ。
【００１４】
庫内循環ファンを庫内の上部に取り付けて、加熱手段から庫内に吹き出した気流に衝突させることにより、加熱空気が庫内で均一に行き渡り、乾燥時間を短縮できる。  乾燥終了後に除湿冷却器により庫内の温度を下げれば、乾燥物を取り出してすぐに再使用できるようになる。乾燥庫内の湿度が高い場合に、そのまま温度を下げると水が結露することになるが、除湿冷却器によりそれを避けることができる。マイナスイオン発生器を使用すると、ダニやダニの死骸等のアレルゲンになるものを取り除く効果が期待できる。
【００１５】
従って、次のような問題・悩みが一挙に解決できることとなった。
１．布団を干したくても景観等により干せない。
２．天日干しできたが、排気ガス，花粉の付着が心配である。
３．尿布団，高齢者の寝具が臭う。
４．雨続きで洗濯物が干せない。
５．生乾きで洗濯物が臭い。
６．天日干しでは、ダニなどは布団の裏側に逃げて生き残るが、本発明では布団の全体が加熱，乾燥できるため、ダニは死滅できる。
【発明を実施するための最良の形態】
【００１６】
以下に本発明の実施態様を図面に示す一実施例にもとづき説明する。
図１において、布団，洗濯物等の乾燥装置の大要は次の通りである。乾燥庫１０と、乾燥庫内の空気を加熱する加熱手段１と、庫内の空気を循環させるように設けられた主管路２と、該主管路に設けられた加熱ブロア３と、一端が空気入口，他端が空気出口となる副管路４と、該副管路の途中で前記入口側に接続された脱臭ブロア５と、該ブロアから前記出口側に順に接続された脱臭装置６と、庫内の空気を庫外へ排出するように設けられた排出ブロア８とを含む。
【００１７】
乾燥庫内の空気を加熱する加熱手段１として電気ヒーターが設けられている。主管路２は、隣接する側壁に接続開口し、庫内の空気を循環させる。そして、該主管路に加熱手段１と加熱ブロア３が設けられる。
【００１８】
一端が空気入口，他端が空気出口となる副管路４が乾燥庫１０に接続される。該副管路の途中で前記入口側に脱臭ブロア５が接続され、該ブロアから出口側に脱臭装置６が接続される。そして脱臭装置６として、前記送風機から前記出口側に順に予熱手段６ａ，酸化分解手段（触媒）６ｂおよび冷却手段６ｃが設けられる。冷却手段６ｃは熱交換器と冷凍ユニットからなる。
【００１９】
ここで、予熱手段６ａとして余熱器は電流を通じるニクロム線からなり、触媒での反応が有効に行われるように、空気を２３０〜２６０℃に加熱する。酸化分解手段（触媒）６ｂとして、白金・ロジウム（ハニカム型）などの貴金属系触媒が使用される。
【００２０】
前記乾燥庫１０は、正面に開口を持つ本体１１と、前記正面の開口に設けられた扉１２と、該本体内に設けられた被乾燥物Ａの掛け棒１３とからなる。１１ａは吸気口、１１ｂは排気口である。
【００２１】
次に、本発明乾燥装置の一実施例の作動状態を乾燥方法の一実施例と共に説明する。この乾燥方法の大要は、前記加熱手段１および加熱ブロア３を運転して庫内１０の空気を加熱するとともに、循環させる。その後、前記排気ブロア８を運転して庫内の加湿空気を庫外に排出する。次に前記脱臭ブロア５と脱臭装置６を所定時間運転し、乾燥庫との間で空気を循環させて脱臭する。再び前記前記排気ブロア８を運転し、庫内の加湿空気を庫外１０に排出するのである。
【００２２】
次にこの方法の詳細を説明する。布団，毛布等の被乾燥物を庫内にセットし、扉を閉める。前記加熱手段１のスイッチを入れ、加熱ブロア３を運転して庫内の空気を５０〜６０℃に加熱するとともに、主管路２を通して乾燥庫１０との間で循環させる。その後、前記排気ブロア８を運転して庫内の加熱加湿空気を排気口１１ｂから庫外に排出する。このとき、吸気口１１ａより外気が導入される。
【００２３】
次に前記脱臭装置６を所定時間運転する。脱臭ブロア５を所定時間運転して、副管路４と乾燥庫１０との間で空気を循環させる。空気を余熱器６ａで加熱し、触媒６ｂで脱臭した後、冷却手段６ｃで常温（２０〜３５度）まで冷却して乾燥庫に戻す。このように所定時間空気を循環させることにより、臭成分が高精度で除去される。
【００２４】
再び、前記前記排気ブロア８を運転し、庫内の加熱加湿空気を庫外に排出する。このときも、吸気口１１ａから外気が導入され、庫内の湿度は下がる。次に装置を停止させ、扉を開けて布団等を取り出す。
【００２５】
前記した基本的な部分に対し、更に、図１で次のものが加えられている。即ち、前記乾燥庫内の上部に庫内循環ファン７が設けられる。また、除湿冷却用循環回路（第２副管路）として、前記乾燥庫内の空気を冷却する冷却手段２２（冷凍ユニット２２ａ，除湿冷却器２２ａ）と、庫内の空気を循環させるように設けられた第２副管路２１と、該第２副管路に設けられた冷却ブロア２３が設けられる。そして、前記副管路４の脱臭装置６の空気出口側にマイナスイオン発生器９が接続される。
【００２６】
このように、庫内循環ファン７を庫内天井に取り付けて、加熱手段１から庫内に吹き出した気流に衝突させることにより、加熱空気が庫内で均一に行き渡る。このため、庫内を均一に温度を上げることができ、乾燥時間を短縮することができる。
【００２７】
乾燥終了後に冷却ブロア２３を運転し、庫内の空気を循環させ除湿冷却器２２ｂにより庫内の温度を下げれば、乾燥物を取り出してすぐに再使用できるようになる。乾燥が終了した時は乾燥物の内部の温度も上がっており、取り出すときに熱く、温度が下がるまで待ったり、夏期には冷えるまで待って使用する必要がある。また温度が高いときは、水蒸気の飽和度が高く、そのまま温度を下げると水蒸気の飽和度が低くなり、水が結露することになる。除湿を行えばそれを避けることができる。マイナスイオン発生器９を庫内の温度が下がってから使用すると、マイナスイオンが発生し、ダニやダニの死骸等のアレルゲンになるものを取り除く効果が期待できる。
【００２８】
図２，３，４に示すものは、乾燥時間の短縮を図り、かつ、前記各機器，配管等を乾燥庫内にコンパクトに収容した実施例である。即ち、前記乾燥庫１０は、正面に開口を持つ本体１１と、該本体内に設けられた横方向に平行な被乾燥物の掛け棒１３と、前記正面の開口に設けられた扉１２とからなる。また、本体１１の天板直下に天井板１４を介して天井区画、側板の内側に平行な仕切り板１５を介して側区画が設けられる。
【００２９】
前記仕切り板１５の上部にはフィルター１５ｅを介した横長矩形の第１空気吸入口１５ａ、下部には横長矩形の第１空気吐出口１５ｂが設けられる。そして、前記側区画内でこれらに主管路２が接続される。主管路２は吸入口１５ａから上方に延び、天井区画に至り、そこに設置された加熱ブロア３を経て、再び側区画内を下降し、途中で加熱手段１を経て、吐出口１５ｂに至る。主管路２の空気吐出口１５ｂとの接続部は流路断面積が滑らかに増加している。
【００３０】
また、前記仕切り板１５の上部にはフィルターを介した横長矩形の第２空気吸入口１５ｃが、前記主管路２の隣に設けられ、下部には第２空気吐出口１５ｄが設けられる。そして、前記側区画内でこれらに副管路４が接続される。副管路４は吸入口１５ｃから上方に延び、天井区画に至り、そこに設置された脱臭ブロア５を経て、再び側区画内を下降し、途中で脱臭装置６を経て、吐出口１５ｄに至る。
【００３１】
乾燥庫内の天井板１４の下面のほぼ中央には、電動の庫内循環ファン７が設けられる。ファンは下向き気流を生じさせるよう、軸流タイプであり、回転軸を鉛直に向けた円筒ケーシング７ａが吊り棒７ｂを介して天井板の下側に間隔を存して取り付けられる。
【００３２】
図２，３，４の実施例において、加熱ブロア３を作動させると、主管路２内の空気は加熱手段で加熱され、乾燥庫の一方側壁の下部にある第１空気吐出口１５ｂから庫内横方向に吹き出し、他方側壁に衝突して上方に方向転換し、天井板１４に衝突して横方向に方向転換し、前記一方側板上部の第１空気吸入口１５ａに入り、そこでフィルタ１５ｅで埃を分離され、主管路２を通って加熱ブロア３に至る。このように、乾燥空気の循環回路が構成される。
【００３３】
そして、掛け棒１３は横方向に平行に延びているから、そこに掛けられた布団，毛布，シーツなどの大型被乾燥物は横方向に沿って広く垂れ下がり、縦（前後）方向に間隔が空けられた状態となる。この間隔の間を加熱空気が横方向から高さ方向に流動するので、効率のよい乾燥が行われる。
【００３４】
また、この乾燥空気の循環回路に対し、天井に設けられた庫内循環ファン７を作動させると、庫内の加熱空気は天井のほぼ中央部から下方に向かって底板に至り、そこから方向転換し、側壁および前壁，後壁に沿って上り、天井に至って再び庫内循環ファンに至り、再び下方に向かう庫内循環回路が構成される。このとき、前記のごとく被乾燥物の縦（前後）方向の間隔内を通って上下方向に加熱空気が流動する。このため、更に乾燥時間が短縮されることになる。
【００３５】
また、脱臭用の空気循環回路４も前記加熱用空気循環回路２とほぼ同様に構成され、これと同時に、前記と同様に庫内循環ファン７による循環回路を構成すれば、脱臭時間の短縮が図られる。なおまた、加熱用の空気循環回路と脱臭用の空気循環回路を同時に構成させれば、処理時間が、なお更に短縮できる。
【００３６】
なお、乾燥庫の底板直上に床板を介した床区画、または前記一方側区画図と反対側に他方区画を設け、そこに前記機器の一部を設置してもよい。図５は更に他の実施例であり、主管路２の加熱手段として、ガス給湯機からの温水が通過する温水ヒーター１ａが使用される。
【００３７】
本発明は前記した実施例や実施態様に限定されず、特許請求の範囲および範囲を逸脱せずに種々の変形を含む。
【産業上の利用可能性】
【００３８】
本発明は、主として住宅用の布団，洗濯物等の乾燥方法、装置に利用される。
【図面の簡単な説明】
【００３９】
【図１】本発明の一実施例の平面展開系統図である。
【図２】本発明の他の実施例の外観正面図である。
【図３】図２の縦断正面図である。
【図４】図３のＹ４−Ｙ４断面図である。
【図５】本発明の他の実施例の断片的系統図であるる
【符号の説明】
【００４０】
Ａ  被乾燥物
１  加熱手段
２  主管路
３  加熱ブロア
４  副管路
５  脱臭ブロア
６  脱臭装置
６ａ  予熱手段
６ｂ  酸化分解手段
６ｃ  冷却手段
７  庫内循環ファン
７ａ  ケーシング
７ｂ  吊り棒
８  排出ブロア
９  マイナスイオン発生器
１０  乾燥庫
１１  本体
１１ａ  吸気口
１１ｂ  排気口
１２  扉
１３  掛け棒
１４  天井板
１５  仕切り板
１５ａ  第１空気吸入口
１５ｂ  第１空気吐出口
１５ｃ  第２空気吸入口
１５ｄ  第２空気吐出口
１５ｅ  フィルター
２１  第２副管路
２２  冷却手段
２２ａ  冷凍ユニット
２２ｂ  熱交換器
２３  冷却ブロア
【図１】
2006043221.tif 000003
【図２】
2006043221.tif 000004
【図３】
2006043221.tif 000005
【図４】
2006043221.tif 000006
【図５】
2006043221.tif 000007